(57)【要約】【課題】この発明は、システム内の電波を制御すべき対象者を容易に識別することを可能にし、より確実に前記電波を制御することで、前記対象者に安心感を与えることができる非接触ＩＣ媒体通信システム、通信装置、非接触ＩＣ媒体通信方法、及びそのプログラムを提供することを目的とする。【解決手段】前記通信装置は、前記非接触ＩＣ媒体との通信により、該非接触ＩＣ媒体の識別情報を読取るとともに、該識別情報に基づいて、前記通信装置から前記非接触ＩＣ媒体に送信される電波のレベルを制御する送信レベル制御手段を備えた。【選択図】図３
2010226604.tif 000002
【特許請求の範囲】
【請求項１】
非接触ＩＣ媒体と、該非接触ＩＣ媒体と通信する通信装置とを備えた非接触ＩＣ媒体通信システムであって、
前記通信装置は、前記非接触ＩＣ媒体との通信により、該非接触ＩＣ媒体の識別情報を読取るとともに、
該識別情報に基づいて、前記通信装置から前記非接触ＩＣ媒体に送信される電波のレベルを制御する送信レベル制御手段を備えた
非接触ＩＣ媒体通信システム。
【請求項２】
前記送信レベル制御手段は、前記電波の送信を停止するように制御する
請求項１記載の非接触ＩＣ媒体通信システム。
【請求項３】
前記通信装置の前記送信レベル制御手段により制御した前記電波の送信レベルを、制御前の送信レベルに復帰させる送信レベル復帰操作手段を備えた
請求項１または２記載の非接触ＩＣ媒体通信システム。
【請求項４】
前記通信装置の前記送信レベル制御手段は、前記電波の送信レベルを、時間経過とともに段階的に増加させる送信レベル復帰制御部を備えた
請求項１または２記載の非接触ＩＣ媒体通信システム。
【請求項５】
前記非接触ＩＣ媒体は、電源装置を有するアクティブタグである
請求項１記載の非接触ＩＣ媒体通信システム。
【請求項６】
前記非接触ＩＣ媒体は、前記通信装置から送信される電波の受信レベルを算出する受信レベル算出部と、
該受信レベル算出部の算出値に基づき、受信レベルを報知する受信レベル報知手段を備えた
請求項５記載の非接触ＩＣ媒体通信システム。
【請求項７】
非接触ＩＣ媒体と通信する通信装置であって、
前記非接触ＩＣ媒体との通信により、該非接触ＩＣ媒体の識別情報を読取るとともに、
該識別情報に基づいて、前記通信装置から前記非接触ＩＣ媒体に送信される電波のレベルを制御する送信レベル制御手段を備えた
通信装置。
【請求項８】
前記送信レベル制御手段は、前記非接触ＩＣ媒体から受信する電波の受信レベルを算出する受信レベル算出部を備えるとともに、
該受信レベル算出部における算出値と、予め設定した閾値とを比較する受信レベル比較部を備え、
前記識別情報と、前記受信レベル比較部での比較結果とに基づいて、前記電波の送信レベルを制御する
請求項７記載の通信装置。
【請求項９】
前記送信レベル制御手段は、前記電波の送信を停止するように制御する
請求項７または８記載の通信装置。
【請求項１０】
前記送信レベル制御手段は、前記電波の送信レベルを、予め設定した閾値と比較し、
前記識別情報、及び前記閾値との比較結果に基づいて、前記電波の送信状態を維持しつつ、該電波の送信レベルを前記閾値未満となるように制御する
請求項７または８記載の通信装置。
【請求項１１】
前記送信レベル制御手段により制御した前記電波の送信レベルを、制御前の送信レベルに復帰させる送信レベル復帰操作手段を備えた
請求項７から１０のいずれか１つに記載の通信装置。
【請求項１２】
前記送信レベル制御手段は、前記電波の送信レベルを、時間経過とともに段階的に増加させる送信レベル復帰制御部を備えた
請求項７から１０のいずれか１つに記載の通信装置。
【請求項１３】
前記送信レベル復帰制御部により制御される前記電波の送信レベルを報知する送信レベル報知手段を備えた
請求項１２記載の通信装置。
【請求項１４】
通信装置により非接触ＩＣ媒体と通信する非接触ＩＣ媒体通信方法であって、
前記非接触ＩＣ媒体と通信することにより、前記通信装置で、非接触ＩＣ媒体の識別情報を読取るステップと、
該識別情報に基づいて、前記通信装置の送信レベル制御手段で、電波の送信レベルを制御するステップとを有する
非接触ＩＣ媒体通信方法。
【請求項１５】
コンピュータに、通信装置により非接触ＩＣ媒体と通信するステップを実行させる非接触ＩＣ媒体通信プログラムであって、
前記非接触ＩＣ媒体と通信することにより、前記通信装置で、非接触ＩＣ媒体の識別情報を読取るステップと、
該識別情報に基づいて、前記通信装置の送信レベル制御手段で、電波の送信レベルを制御するステップとをコンピュータに実行させる
非接触ＩＣ媒体通信プログラム。
【発明の詳細な説明】
【技術分野】
【０００１】
この発明は、非接触ＩＣ媒体と通信するための非接触ＩＣ媒体通信システム、通信装置、非接触ＩＣ媒体通信方法、及びそのプログラムに関する。
【背景技術】
【０００２】
従来より、専用の通信装置を用いて非接触ＩＣ媒体との間で電波を送受信することにより、該非接触ＩＣ媒体と非接触で通信することを可能にした通信システムが知られている。
【０００３】
このような通信システムは、所定の施設にて管理対象物（人や物品等を含む）の出入りを許可／制限するいわゆるセキュリティシステムや、前記管理対象物の居場所を判定する居場所管理システム等に広く採用されている。
【０００４】
しかしながら、その反面、近年では、非接触ＩＣ媒体と通信装置との間で通信を行う際に送受信される電波が、医療機器、例えば心臓ペースメーカの動作に影響を及ぼす可能性が指摘されている。このため、心臓ペースメーカの所有者は、自身の周辺で上述した通信システムが採用されることに対し、不安を抱く可能性がある。
【０００５】
また、近年、電波（電磁波）が人体の健康に及ぼす影響について様々な学説が発表されていることに伴い、例えば、乳幼児を持つ保護者等は、電磁波が自身の子供に及ぼす影響について不安を抱いているという実情もある。このため、乳幼児を持つ保護者等についても、心臓ペースメーカの所有者と同様、周辺で上述した通信システムが採用されることに対し、不安を抱く可能性がある。
【０００６】
さらに、このような背景から、上述した通信システムの採用を検討している側も、電波の影響を不安視する者に配慮して、前記通信システムを採用することに躊躇する傾向がある。
【０００７】
ところで、心臓ペースメーカの所有者に対する電波の影響を考慮した技術としては、例えば、下記特許文献１に開示されたものがある。下記特許文献１では、非接触ＩＣ媒体と通信装置との間の非接触の通信を利用して、電波送信源となる携帯電話を制御するようにしたシステムが開示されている。
【０００８】
具体的には、携帯電話端末の所有者に、非接触ＩＣ媒体を身に付けさせる一方、前記携帯電話端末側に通信装置を備える構成となっている。
【０００９】
そして、携帯電話端末の所有者が心臓ペースメーカ所有者に接近した時には、携帯電話端末の所有者自らの判断により、前記非接触ＩＣ媒体を前記通信装置に近づけ、非接触の通信を行わせる。これにより、前記非接触ＩＣ媒体に記憶された制御情報を前記通信装置に読取らせ、携帯電話端末に対して電力供給停止制御や、電波送信禁止制御を実行できるようにしている。
【先行技術文献】
【特許文献】
【００１０】
【特許文献１】特開２００７−９６５５７号公報
【発明の概要】
【発明が解決しようとする課題】
【００１１】
しかしながら、前記特許文献１に開示されている技術は、既存の無線通信システム（ナースコールシステム）に用いられる携帯電話端末からの電波送信を非接触ＩＣ媒体通信システムを利用して制御するものであって、非接触ＩＣ媒体通信システムにおける電波の送受信そのものを制御するものではない。
【００１２】
さらに、前記特許文献１に開示された技術では、上述したように、電波送信源となる携帯電話端末の所有者が、自らの判断によって意図的に通信装置を非接触ＩＣ媒体と通信させなければならず、この場合、制御の確実性に問題がある。
【００１３】
また、前記特許文献１に開示された技術は、例えば、医師や看護士等、医療施設における従事者が、心臓ペースメーカの所有者を予め把握している場合にのみ実現できるものである。特に、不特定多数の者が行き来する施設の場合、心臓ペースメーカ所有者について言えば、非所有者と外見上見分けがつかないために、通信システム内の電波を制御すべきか否かを判断することは容易ではない。
【００１４】
この発明は、上述の問題に鑑み、システム内の電波を制御すべき対象者を容易に識別することを可能にし、より確実に前記電波を制御することで、前記対象者に安心感を与えることができる非接触ＩＣ媒体通信システム、通信装置、非接触ＩＣ媒体通信方法、及びそのプログラムを提供することを目的とする。
【課題を解決するための手段】
【００１５】
この発明は、非接触ＩＣ媒体と、該非接触ＩＣ媒体と通信する通信装置とを備えた非接触ＩＣ媒体通信システムであって、前記通信装置は、前記非接触ＩＣ媒体との通信により、該非接触ＩＣ媒体の識別情報を読取るとともに、該識別情報に基づいて、前記通信装置から前記非接触ＩＣ媒体に送信される電波のレベルを制御する送信レベル制御手段を備えた非接触ＩＣ媒体通信システムであることを特徴とする。
【００１６】
前記非接触ＩＣ媒体は、ＲＦＩＤタグのように、非接触で通信できると共にＩＣを備えている媒体で構成することができる。
【００１７】
前記通信装置は、ＲＦＩＤタグとの通信により、ＲＦＩＤタグの情報を読取ったり、ＲＦＩＤタグに対して情報を書き込んだりすることが可能なリーダライタ装置や、ＲＦＩＤタグとの通信により、ＲＦＩＤタグの情報の読取りのみを可能とするリーダ装置で構成することができる。
【００１８】
この発明により、非接触ＩＣ媒体の識別情報に基づいて、非接触ＩＣ媒体を所持する不特定多数の者の中から、電波の送信レベルを制御すべき対象者を容易に識別することができる。そして、前記識別情報の読取り結果に基づいて、電波の送信レベルを通信装置で確実に制御できるため、通信装置に接近する前記対象者に対して安心感を与えることができる。
【００１９】
この発明の態様として、前記送信レベル制御手段は、前記電波の送信を停止するように制御する構成とすることができる。  
これにより、前記対象者に非接触ＩＣ媒体通信システムに対する安心感をより強く与えることができる。
【００２０】
この発明の態様として、前記通信装置の前記送信レベル制御手段により制御した前記電波の送信レベルを、制御前の送信レベルに復帰させる送信レベル復帰操作手段を備えた構成とすることができる。
【００２１】
送信レベル復帰操作手段は、操作者の押下操作により、送信レベルの復帰処理を実行させる押しボタンスイッチで構成することができる。
【００２２】
これにより、前記対象者を含め、通信装置の周辺に人がいないことを確認次第、送信レベル復帰操作手段を操作することで、前記対象者の安心感を損なうことなく、電波の送信レベルを制御前のレベルに復帰させることができる。
【００２３】
この発明の態様として、前記通信装置の前記送信レベル制御手段は、前記電波の送信レベルを、時間経過とともに段階的に増加させる送信レベル復帰制御部を備えた構成とすることができる。  
これにより、前記送信レベルが制御前のレベルに復帰するまでに、前記対象者が通信装置から遠ざかるための時間を稼ぐことができ、通信装置から離れつつある前記対象者に安心感を与えることができる。また、前記送信レベルの復帰制御開始直後に、前記対象者が再び通信装置に接近したとしても、前記対象者の不安感を軽減できる。
【００２４】
この発明の態様として、前記非接触ＩＣ媒体を、電源装置を有するアクティブタグとした構成とすることができる。  
これにより、電源装置を備えないパッシブタグに比べて電波の送信レベルが高くなり、該電波の送信距離を長くすることができる。このため、前記対象者が通信装置から遠く離れていても、通信装置は、識別情報を含む電波を受信することができ、電波の送信レベルをより早いタイミングで制御することができる。
【００２５】
この発明の態様として、前記非接触ＩＣ媒体は、前記通信装置から送信される電波の受信レベルを算出する受信レベル算出部と、該受信レベル算出部の算出値に基づき、受信レベルを報知する受信レベル報知手段を備えた構成とすることができる。
【００２６】
受信レベル報知手段は、点灯表示位置や、点灯する色、文字等の変化によって受信レベルを報知する点灯表示手段で構成することができ、この点灯表示手段は、ＬＥＤ、有機ＥＬ等の半導体発光素子や、その他の発光手段で構成することができる。  
また、受信レベル報知手段は、音量や音質等の変化によって受信レベルを報知するスピーカ装置で構成することができる。
【００２７】
これにより、前記対象者は、自身の周辺での電波レベルを容易に認識することが可能になり、その結果、より強い安心感を得ることができる。
【００２８】
またこの発明は、非接触ＩＣ媒体と通信する通信装置であって、前記非接触ＩＣ媒体との通信により、該非接触ＩＣ媒体の識別情報を読取るとともに、該識別情報に基づいて、前記通信装置から前記非接触ＩＣ媒体に送信される電波のレベルを制御する送信レベル制御手段を備えた通信装置であることを特徴とする。
【００２９】
この発明により、非接触ＩＣ媒体の識別情報のうち、所定の識別情報を読取った時には、非接触ＩＣ媒体を所持する不特定多数の者の中から、電波の送信レベルを制御すべき対象者を容易に識別することができる。そして、所定の識別情報の読取りに基づいて、電波の送信レベルを確実に制御することにより、通信装置に接近する前記対象者に対して安心感を与えることができる。
【００３０】
この発明の態様として、前記送信レベル制御手段は、前記非接触ＩＣ媒体から受信する電波の受信レベルを算出する受信レベル算出部を備えるとともに、該受信レベル算出部における算出値と、予め設定した閾値とを比較する受信レベル比較部を備え、前記識別情報と、前記受信レベル比較部での比較結果とに基づいて、前記電波の送信レベルを制御する構成とすることができる。  
これにより、通信装置と非接触ＩＣ媒体との間の通信が制限される状態を必要最低限に抑制することができる。
【００３１】
この発明の態様として、前記送信レベル制御手段は、前記電波の送信を停止するように制御する構成とすることができる。  
これにより、前記対象者に、非接触ＩＣ媒体通信システムに対する安心感をより強く与えることができる。
【００３２】
この発明の態様として、前記送信レベル制御手段は、前記電波の送信レベルを、予め設定した閾値と比較し、前記識別情報、及び前記閾値との比較結果に基づいて、前記電波の送信状態を維持しつつ、該電波の送信レベルを前記閾値未満となるように制御する構成とすることができる。  
これにより、前記対象者の安心感を損なうことなく、通信装置と非接触ＩＣ媒体との間の通信が可能な状態を継続させることができる。
【００３３】
この発明の態様として、前記送信レベル制御手段により制御した前記電波の送信レベルを、制御前の送信レベルに復帰させる送信レベル復帰操作手段を備えた構成とすることができる。  
これにより、前記対象者を含め、通信装置の周辺に人がいないことを確認次第、送信レベル復帰操作手段を操作することで、前記対象者の安心感を損なうことなく、電波の送信レベルを制御前のレベルに復帰させることができる。
【００３４】
この発明の態様として、前記送信レベル制御手段は、前記電波の送信レベルを、時間経過とともに段階的に増加させる送信レベル復帰制御部を備えた構成とすることができる。  
これにより、前記送信レベルが制御前のレベルに復帰するまでに、前記対象者が通信装置から遠ざかるための時間を稼ぐことができ、通信装置から離れつつある前記対象者に安心感を与えることができる。また、前記送信レベルの復帰制御開始直後に、前記対象者が再び通信装置に接近したとしても、前記対象者の不安感を軽減できる。
【００３５】
この発明の態様として、前記送信レベル復帰制御部により制御される前記電波の送信レベルを報知する送信レベル報知手段を備えた構成とすることができる。
【００３６】
送信レベル報知手段は、点灯表示位置や、点灯する色、文字等の変化によって送信レベルを報知する点灯表示手段で構成することができ、この点灯表示手段は、ＬＥＤ、有機ＥＬ等の半導体発光素子や、その他の発光手段で構成することができる。  
また、送信レベル報知手段は、音量や音質等の変化によって送信レベルを報知するスピーカ装置で構成することができる
【００３７】
これにより、前記対象者は、通信装置の電波の送信レベルを容易に認識することが可能になり、その結果、より強い安心感を得ることができる。
【００３８】
またこの発明は、通信装置により非接触ＩＣ媒体と通信する非接触ＩＣ媒体通信方法であって、前記非接触ＩＣ媒体と通信することにより、前記通信装置で、非接触ＩＣ媒体の識別情報を読取るステップと、該識別情報に基づいて、前記通信装置の送信レベル制御手段で、電波の送信レベルを制御するステップとを有する非接触ＩＣ媒体通信方法であることを特徴とする。
【００３９】
この発明により、非接触ＩＣ媒体の識別情報に基づいて、非接触ＩＣ媒体を所持する不特定多数の者の中から、電波の送信レベルを制御すべき対象者を容易に識別することができる。そして、前記識別情報の読取り結果に基づいて、電波の送信レベルを通信装置で確実に制御できるため、通信装置に接近する前記対象者に対して安心感を与えることができる。
【００４０】
またこの発明は、コンピュータに、通信装置により非接触ＩＣ媒体と通信するステップを実行させる非接触ＩＣ媒体通信プログラムであって、前記非接触ＩＣ媒体と通信することにより、前記通信装置で、非接触ＩＣ媒体の識別情報を読取るステップと、該識別情報に基づいて、前記通信装置の送信レベル制御手段で、電波の送信レベルを制御するステップとをコンピュータに実行させる非接触ＩＣ媒体通信プログラムであることを特徴とする。
【００４１】
この発明により、コンピュータに非接触ＩＣ媒体通信プログラムをインストールして、通信装置に接近する前記対象者に対して安心感を与える非接触ＩＣ媒体通信システムを構成することができる。
【発明の効果】
【００４２】
この発明により、システム内の電波を制御すべき対象者を容易に識別することを可能にし、より確実に前記電波を制御することで、前記対象者に安心感を与えることができる非接触ＩＣ媒体通信システム、通信装置、非接触ＩＣ媒体通信方法、及びそのプログラムを提供することができる。
【図面の簡単な説明】
【００４３】
【図１】この発明の第１実施形態に係る非接触ＩＣ媒体通信システムを示す概略図であって、（ａ）心臓ペースメーカの所有者である通行人がリーダライタ装置から離れている場合を示す概略図、（ｂ）同通行人がリーダライタ装置に接近した場合を示す概略図。
【図２】図１に対応するブロック図。
【図３】非接触ＩＣ媒体通信システムの動作を示すフローチャート。
【図４】この発明の第３実施形態に係る非接触ＩＣ媒体通信システムを示す概略図。
【図５】図６に対応するブロック図。
【図６】ＬＥＤの表示例を示す図。
【図７】非接触ＩＣ媒体通信システムの動作を示すフローチャート。
【図８】（ａ）この発明の第４実施形態に係る非接触ＩＣ媒体通信システムを示す概略図、（ｂ）この発明の第１実施形態に係る非接触ＩＣ媒体通信システムを示す概略図。
【図９】図１０（ａ）に対応するブロック図。
【図１０】ＬＥＤの表示例を示す図。
【図１１】この発明の第５実施形態に係る非接触ＩＣ媒体通信システムを示す概略図。
【図１２】図１３に対応するブロック図。
【図１３】この発明の第７実施形態に係る非接触ＩＣ媒体通信システムを適用した居場所管理システムを示す概略図。
【発明を実施するための形態】
【００４４】
以下、図面に基づいて本発明の実施形態を詳述する。  
（第１実施形態）  
まず、図１〜図３に示す第１実施形態について説明する。図１は、本発明の第１実施形態に係る非接触ＩＣ媒体通信システム（以下、通信システムと略記する。）１を示す概略図であり、図２は、図１に対応するブロック図である。
【００４５】
本実施形態に係る通信システム１は、図１、図２に示すように、通信装置としてのリーダライタ装置３０と、心臓ペースメーカ５０を所持する通行人Ｐ１が所持する非接触ＩＣ媒体としてのＲＦＩＤタグ（以下、タグと略記する）４０とから構成されている。
【００４６】
リーダライタ装置３０は、本体３０ａとアンテナ３１とにより構成され、タグ４０との間で電波Ｗｒ、Ｗｔの送受信を行うことにより、このタグ４０と非接触で通信することが可能となっている。そして、上述したタグ４０との通信により、タグ４０の情報を読取ったり、タグ４０に対して情報を書き込んだりすることが可能となっている。また、リーダライタ装置３０のアンテナ３１には、後述する復帰操作ボタン３２が設けられている。
【００４７】
一方、タグ４０は、例えば、図１に示すように環状の首紐２に取付けられており、通行人Ｐ１は、この首紐２を自身の首に掛けることにより、タグ４０を首から吊り下げた状態で所持している。但し、必ずしもこれに限定されるものではなく、例えば、このタグ４０が心臓ペースメーカ５０に内蔵されていてもよい。この場合、心臓ペースメーカ５０の動作に影響を及ぼすことがない構成となっている。
【００４８】
また、リーダライタ装置３０について、そのアンテナ３１は、電波Ｗｒを発生させ、通行人Ｐ１のタグ４０に向けて送信することで、タグ４０側のアンテナ４１（図２参照）から、後述するタグ４０の識別情報を含む電波Ｗｔを受信する。
【００４９】
ここで、リーダライタ装置３０の本体３０ａは、図２に示すように、制御部３３と、記憶部３４とを備えている。このうち、制御部３３は、アンテナ３１での電波Ｗｒ、Ｗｔの送受信を制御する。記憶部３４には、主に制御部３３が制御動作を実行するためのプログラムの他、後述する送信レベル制御ＩＤが記憶されている。本実施形態では、この送信レベル制御ＩＤとして、例えば、５桁の番号「０００００」を記憶している。
【００５０】
ところで、通信システム１では、タグ４０から送信される電波Ｗｔをアンテナ３１が受信した時の受信レベルに基づき、タグ４０の周辺での電波Ｗｒのレベルを推定することが可能である。そこで、本実施形態では、制御部３３（図２参照）に、タグ４０のアンテナ４１から送信された電波Ｗｔをアンテナ３１が受信した時の受信レベルを算出する受信レベル算出部３３ａを備えている。そして、記憶部３４には、図１に示す通行人Ｐ１が所持する心臓ペースメーカ５０が許容できる最大レベルの電波Ｗｒをタグ４０が受信している時にアンテナ３１が受信する電波Ｗｔの受信レベルを閾値として記憶している。
【００５１】
本実施形態では、タグ４０が、電池等の電源装置を備えていないいわゆるパッシブタグとされており、アンテナ４１の他、主に、制御部４２、記憶部４３を備えている。このうち、制御部４２は、リーダライタ装置３０のアンテナ３１から送信された電波Ｗｒをアンテナ４１が受信した時、アンテナ４１から送信する電波Ｗｔを制御する。
【００５２】
記憶部４３には、主に制御部４２が制御動作を実行するためのプログラムの他、予め割り当てられた識別情報としてのＩＤコードが記憶されている。このＩＤコードは、通行人Ｐ１（タグ４０）を識別するためのコードであり、通行人Ｐ１の場合には、記憶部４３に、心臓ペースメーカ５０を所持する者に共通のＩＤコードとして、例えば、５桁の番号「０００００」が割り当てられている。
【００５３】
リーダライタ装置３０では、通常時、タグ４０と非接触の通信を行うべくアンテナ３１から電波Ｗｒを送信している。ここで、タグ４０を所持した通行人Ｐ１がリーダライタ装置３０（アンテナ３１）に接近すると、タグ４０では、アンテナ４１が電波Ｗｒを受信することにより、制御部４２が作動する。
【００５４】
この時、制御部４２は、記憶部４３からＩＤコードを読出し、このＩＤコードに関連する情報を含む電波Ｗｔを、アンテナ４１からリーダライタ装置３０のアンテナ３１に送信する。
【００５５】
また、リーダライタ装置３０では、アンテナ３１がタグ４０から電波Ｗｔを受信すると、制御部３３が、読取ったＩＤコードと、記憶部３４にて記憶した送信レベル制御ＩＤ「０００００」とを照合する。そして、読取った前記ＩＤコードが前記送信レベル制御ＩＤと一致した時、受信レベル算出部３３ａで算出した電波Ｗｔの受信レベルと、記憶部３４に記憶した受信レベルの閾値とを比較するようになっている。ここで、前記受信レベルが前記閾値未満である時には、図１（ａ）及び図２（ａ）に示すように、アンテナ３１からの電波Ｗｒの送信状態を維持するようになっている。
【００５６】
但し、通行人Ｐ１（タグ４０）が、図１（ｂ）、図２（ｂ）に示すようにリーダライタ装置３０に接近し、アンテナ３１における電波Ｗｔの受信レベルが前記閾値に達した時には、受信した電波Ｗｔから読取ったＩＤコードが「０００００」であることに基づき、電波Ｗｒの送信を停止するようになっている。図１（ｂ）及び図２（ｂ）等の各図では、電波Ｗｒの送信が停止した状態を、二点鎖線の矢印で模式的に示している、また、各図では、電波Ｗｒ、Ｗｔの送受信レベルの高低を、矢印の太さで表現している。
【００５７】
また、本実施形態では、アンテナ３１からの電波Ｗｒの送信が停止された時、通信システム１の管理者等が復帰操作ボタン３２を押下操作することで、電波Ｗｒの送信停止状態を解除でき、電波Ｗｒの送信レベルを、制御前のレベルに復帰させることができるようになっている。
【００５８】
次に、図３に示すフローチャートとともに、本実施形態に係る通信システム１の動作について説明する。  
通常時、リーダライタ装置３０では、制御部３３がアンテナ３１を制御することにより、タグ４０と通信を行うための電波Ｗｒが送信されている（ステップＳ１）。ここで、リーダライタ装置３０の周辺に通行人Ｐ１、つまりはタグ４０が接近していなければ（ステップＳ２：ＮＯ）、ステップＳ１に戻る一方、リーダライタ装置３０にタグ４０が接近すると（ステップＳ２：ＹＥＳ）、タグ４０は、電波Ｗｒを受信し（ステップＳ３）、タグ４０の制御部４２が、ＩＤコードに関連する情報を含む電波Ｗｔを、アンテナ３１に向けて送信する（ステップＳ４）。
【００５９】
ここで、リーダライタ装置３０の制御部３３は、ステップＳ５にてアンテナ３１が受信した電波Ｗｔから、タグ４０のＩＤコードを読取り、ステップＳ６にて、読取ったＩＤコードが、予め記憶部３４に記憶された送信レベル制御ＩＤ「０００００」であるか否かを判定する。ここで、読取ったＩＤコードが、前記送信レベル制御ＩＤでない時には（ステップＳ６：ＮＯ）、ステップＳ１に戻り、ステップＳ１〜Ｓ６の処理が繰り返される。
【００６０】
一方、前記送信レベル制御ＩＤである時には（ステップＳ６：ＹＥＳ）、リーダライタ装置３０の制御部３３の受信レベル算出部３３ａが、記憶部３４から前記閾値を読出し、タグ４０から送信された電波Ｗｔの受信レベルを、前記閾値と比較する（ステップＳ７）。
【００６１】
ここで、受信レベルが閾値以上である時には（ステップＳ７：ＹＥＳ）、制御部３３は、アンテナ３１を制御して電波Ｗｒの送信を停止させる（ステップＳ８）。
【００６２】
次に、制御部３３は、前記管理者等により、復帰操作ボタン３２が操作されたか否かを判定する（ステップＳ９）。この時、復帰操作ボタン３２が操作されていなければ（ステップＳ９：ＮＯ）、制御部３３は、ステップＳ８に戻る一方、復帰操作ボタン３２が操作されれば（ステップＳ９：ＹＥＳ）、アンテナ３１からの電波Ｗｒの送信を再開させ、その送信レベルを制御前のレベルに復帰させた後（ステップＳ１０）、再びステップＳ１の処理に戻る。
【００６３】
一方、ステップＳ７において、前記受信レベルが前記閾値未満である時には（ステップＳ７：ＮＯ）、ステップＳ１に戻り、アンテナ３１からの電波Ｗｒの送信状態を継続する。そして、ステップＳ７にて、前記受信レベルが前記閾値以上となるまで、ステップＳ１〜Ｓ７の処理を繰り返す。
【００６４】
このように、本実施形態では、タグ４０に割り当てられた識別情報として、ＩＤコードをタグ４０の記憶部４３に記憶させ、特に、心臓ペースメーカ５０の所有者である通行人Ｐ１の場合、心臓ペースメーカ５０の所有者に共通のＩＤコード「０００００」を記憶させている。
【００６５】
そして、リーダライタ装置３０の記憶部３４には、予め前記共通のＩＤコードと同じＩＤを、送信レベル制御ＩＤとして記憶させ、前記共通のＩＤコードを読取った時には、アンテナ３１からの電波Ｗｒの送信を停止するようになっている。
【００６６】
ここで、通行人Ｐ１は、自身が所有する心臓ペースメーカ５０に対して電波Ｗｒの影響が及ぶことを心配している可能性がある。このため、通行人Ｐ１が、リーダライタ装置３０に接近した時、アンテナ３１から送信される電波Ｗｒの送信レベルが適切に制御されるような構成にすれば、通行人Ｐ１に安心感を与えることができると考えられる。
【００６７】
本実施形態では、タグ４０に記憶した識別情報としてのＩＤコード「０００００」に基づき、不特定多数の通行人の中から、電波Ｗｒの送信レベルを制御すべき対象者である通行人Ｐ１を容易に識別することができる。そして、前記ＩＤコードに基づいてアンテナ３１から送信される電波Ｗｒの送信レベルを確実に制御できるため、リーダライタ装置３０に接近する通行人Ｐ１に対して安心感を与えることができる。
【００６８】
また、上述したように、前記ＩＤコード「０００００」の読取りに基づいて、アンテナ３１から送信する電波Ｗｒを停止することにより、通行人Ｐ１に、通信システム１に対する安心感をより強く与えることができる。
【００６９】
ところで、上述したように、近年、通信システム内において送受信される電波が心臓ペースメーカに与える影響について懸念されているが、実際には、周辺の電波レベルが所定未満である場合には、心臓ペースメーカの動作に及ぼす影響は小さいか、または殆どない場合もある。
【００７０】
本実施形態では、タグ４０から送信された電波の受信レベルと、予め設定した前記閾値とを比較し、前記受信レベルが閾値以上である時に限り、電波Ｗｒの送信を停止するようにしたため、リーダライタ装置３０とタグ４０との間の通信が制限される状態を必要最低限に抑制することができる。
【００７１】
このため、図１（ａ）に示すように、通行人Ｐ１がリーダライタ装置３０から大きく遠ざかることによって、心臓ペースメーカ５０周辺の電波レベルが、心臓ペースメーカ５０の動作に影響を及ぼさない程度となった時に、タグ４０′を所持した心臓ペースメーカ５０の非所有者である別の通行人Ｐ２がリーダライタ装置３０に接近すると、この通行人Ｐ２に対しては、リーダライタ装置３０とタグ４０′との間の非接触の通信を実行することができる。
【００７２】
但し、本発明は、必ずしもこれに限定されるものではなく、通行人Ｐ１への配慮を重視する場合には、例えば、前記ＩＤコード「０００００」を読取った時、アンテナ３１からの電波Ｗｒの送信を直ちに停止するようにしてもよい。
【００７３】
ところで、リーダライタ装置３０のアンテナ３１から送信される電波Ｗｒの送信範囲から通行人Ｐ１が外れた時には、アンテナ３１からの電波Ｗｒの送信を再開させることが可能である。
【００７４】
そこで、通行人Ｐ１を含め、リーダライタ装置３０の周辺に人がいないことを確認次第、復帰操作ボタン３２を操作することで、通行人Ｐ１の安心感を損なうことなく、電波Ｗｒの送信レベルを制御前のレベルに復帰させることができる。そして、後から来た通行人が、通信システム１を利用可能な状態に戻すことができる。
【００７５】
なお、本実施形態では、復帰操作ボタン３２をリーダライタ装置３０に設けることとしたが、必ずしもこれに限定されるものではない。例えば、パーソナルコンピュータ等の通信端末装置をリーダライタ装置３０に接続し、この通信端末装置において適宜の入力操作を行うことにより、電波Ｗｒの送信を再開できるように構成してもよい。
【００７６】
（第２実施形態）  
上述した第１実施形態では、心臓ペースメーカ５０の所有者である通行人Ｐ１が所持するタグ４０のＩＤコードをリーダライタ装置３０が読取った時、アンテナ３１からの電波Ｗｒの送信を停止することとしたが、本発明は必ずしもこれに限定されるものではない。
【００７７】
例えば、リーダライタ装置３０のアンテナ３１から電波Ｗｒを送信する状態を維持しつつ、通行人Ｐ１の心臓ペースメーカ５０の動作に及ぼす影響が小さいか、または殆どないと考えられるレベルまで電波Ｗｒの送信レベルを低減させるようにしてもよい。
【００７８】
本実施形態では、リーダライタ装置３０が、タグ４０から送信される電波ＷｔからＩＤコード「０００００」を読取った時、電波Ｗｒの送信レベルが予め設定した閾値以上であった時、制御部３３は、電波Ｗｒの送信レベルを、通常のレベルから低減させ、前記閾値未満の送信レベルとする。
【００７９】
この場合、電波Ｗｒの送信レベルは低減しているものの、該電波Ｗｒの送信状態は維持されているため、リーダライタ装置３０とタグ４０との間の通信は引き続き可能である。このため、通行人Ｐ１の安心感を損なうことなく、リーダライタ装置３０とタグ４０との間の通信が可能な状態を継続させることができる。
【００８０】
（第３実施形態）  
次に、図４〜図７に示す第３実施形態について説明する。図４は、本発明の第３実施形態に係る通信システム１０１を示す概略図であり、図５は、図４に対応するブロック図である。なお、第１実施形態と同様の構成要素については、同一の番号を付して説明を省略する。
【００８１】
上述した各実施形態では、アンテナ３１から送信する電波Ｗｒの送信レベルが停止または低減された後、復帰操作ボタン３２を操作すると、前記送信レベルを制御前のレベルに復帰させることができるように構成したが、復帰操作ボタン３２が操作された時、前記送信レベルを、時間経過とともに段階的に制御前の送信レベルにまで増加させるようにしてもよい。図４、図５では、通信システム１０１において、復帰操作ボタン３２が操作されたことにより、アンテナ１３１から送信される電波Ｗｒの送信レベルが、時間経過とともに、Ｗｒａ、Ｗｒｂ、Ｗｒｃ、…の順に徐々に増加していることを、矢印の太さ及び長さで表現している。
【００８２】
本実施形態では、リーダライタ装置１３０の本体１３０ａに備えられた記憶部１３４（図５参照）に、復帰操作ボタン３２が操作されてからの経過時間と前記送信レベルとの関係を設定したマップが記憶されており、制御部１３３（図５参照）は、このマップに基づき、アンテナ１３１から送信する電波Ｗｒの送信レベルを時間経過とともに段階的に増加させ、制御前のレベルに復帰させる。
【００８３】
また、本実施形態では、図５に示すように、リーダライタ装置１３０の制御部１３３が、第１実施形態と同様、受信レベル算出部３３ａを備えており、心臓ペースメーカ１５０（図４参照）の所有者である通行人Ｐ３のタグ１４０から送信される電波Ｗｔの受信レベルを算出可能としている。そして、受信レベル算出部３３ａにて算出した電波Ｗｔの受信レベルが所定以上である時、前記送信レベルの復帰制御を停止する一方、電波Ｗｔの受信レベルが所定未満である時、前記送信レベルの復帰制御を続行するようになっている。
【００８４】
また、アンテナ１３１には、その表面に、図４〜図６に示すような複数（ここでは３つ）のＬＥＤ１３６〜１３８が設けられている。これら各ＬＥＤ１３６〜１３８は、点灯する際の色がそれぞれ異なっており、増加する前記送信レベルに応じて、各ＬＥＤ１３６〜１３８が順番に点灯するようになっている。
【００８５】
具体的には、送信レベルが低レベルの時には、図６（ａ）に示すように一番下のＬＥＤ１３６が点灯し、送信レベルが、復帰初期の送信レベルと制御前の送信レベルとの略中間の中レベルとなった時には、図６（ｂ）に示すように中央のＬＥＤ１３７が点灯し、制御前のレベルと同等の高レベルとなった時には、図６（ｃ）に示すように一番上のＬＥＤ１３８が点灯するようになっている。
【００８６】
但し、ＬＥＤ１３６〜１３８を点灯させる方式は、必ずしもこれに限定されるものではなく、前記送信レベルが増加するにしたがって、点灯するＬＥＤが増加するような方式であってもよい。
【００８７】
次に、図７に示すフローチャートとともに、本実施形態に係る通信システム１０１の動作について説明する。  
先ず、本実施形態では、ステップＳ１０１〜Ｓ１０９において、第１実施形態の図３に示すフローチャートのＳ１〜Ｓ９に対応する処理がなされる。ここで、ステップＳ１０９において、復帰操作ボタン３２が操作されれば（ステップＳ１０９：ＹＥＳ）、ステップＳ１１０に移行し、アンテナ１３１からの電波Ｗｒの送信を再開させる。このステップＳ１１０では、リーダライタ装置１３０から送信する電波の送信レベルを、制御前のものと比べてはるかに低いレベルとする。この時、制御部１３３は、ＬＥＤ１３６を点灯させる。
【００８８】
また、制御部１３３は、ステップＳ１１１において、受信レベル算出部３３ａの算出結果に基づき、タグ１４０、つまりは通行人Ｐ３がリーダライタ装置１３０に再び接近しているか否かを判定している。
【００８９】
ここで、通行人Ｐ３が所定距離以下のところまでリーダライタ装置１３０に接近し、タグ１４０からの電波Ｗｔの受信レベルが所定以上となった時には（ステップＳ１１１：ＹＥＳ）、ステップＳ１０８に戻る。一方、通行人Ｐ３が所定距離より遠ざかっており、タグ１４０からの電波Ｗｔの受信レベルが所定未満である時には（ステップＳ１１１：ＮＯ）、ステップＳ１１２に移行して、電波Ｗｒの送信レベルの復帰制御を続行し、アンテナ１３１から送信する電波Ｗｒの送信レベルを前記マップに基づいて増加させる。この時、制御部１３３は、ＬＥＤ１３６を消灯させると同時に、ＬＥＤ１３７を点灯させる。
【００９０】
また、制御部１３３は、ステップＳ１１３において、再びステップＳ１１１に対応する処理を実行する。ここで、タグ１４０からの電波Ｗｔの受信レベルが所定以上となった時には（ステップＳ１１３：ＹＥＳ）、ステップＳ１０８に戻る。
【００９１】
一方、タグ１４０からの電波Ｗｔの受信レベルが所定未満である時には（ステップＳ１１３：ＮＯ）、ステップＳ１１４に移行して、電波Ｗｒの送信レベルの復帰制御を続行し、アンテナ１３１から送信する電波Ｗｒの送信レベルを、前記マップに基づき制御前のレベルまで復帰させ、再びステップＳ１０１の処理に戻る。この時、制御部１３３は、ＬＥＤ１３７を消灯させると同時に、ＬＥＤ１３８を点灯させる。
【００９２】
このように、本実施形態では、復帰操作ボタン３２が操作された時、前記送信レベルを、時間経過とともに段階的に制御前の送信レベルにまで増加させるようにしているため、通行人Ｐ３がリーダライタ装置１３０から遠ざかった直後における電波Ｗｒの送信レベルを低レベルなものとすることができる。
【００９３】
従って、前記送信レベルが制御前のレベルに復帰するまでに、通行人Ｐ３がリーダライタ装置１３０から遠ざかるための時間を稼ぐことができ、リーダライタ装置１３０から離れつつある通行人Ｐ３に安心感を与えることができる。また、復帰操作ボタン３２が操作され、前記送信レベルの復帰制御が開始された直後に、通行人Ｐ３が再びリーダライタ装置１３０に接近したとしても、通行人Ｐ３の不安感を軽減できる。
【００９４】
また、ＬＥＤ１３６〜１３８の点灯により、前記送信レベルの状態を視覚的に報知することができる。このため、前記送信レベルを容易に認識することが可能になり、その結果、通行人Ｐ３はより強い安心感を得ることができる。
【００９５】
なお、前記送信レベルを報知する手段としては、複数のＬＥＤ１３６〜１３８により構成することに必ずしも限定されるものではない。例えば、点灯表示位置や、点灯する色、文字等の変化によって送信レベルを報知する点灯表示手段で構成することができ、ＬＥＤ以外にも、有機ＥＬ等の各種発光手段で構成することができる。また、送信レベルを報知する手段は、音量や音質等の変化によって送信レベルを報知するスピーカ装置で構成することができる。
【００９６】
なお、ここで言う前記送信レベルの段階的な増加とは、前記送信レベルが時間とともに増加すること全般を含むこととし、例えば、前記送信レベルの変化と時間とが略比例関係となるような増加も含むものとする。
【００９７】
（第４実施形態）  
上述した各実施形態では、通行人Ｐ１等が所有するタグ４０等をパッシブタグとしたが、必ずしもこれに限定されるものではなく、図８（ａ）及び図９に示す通信システム２０１を構成するタグ２４０のように、電源装置としての電池２４４を内蔵したアクティブタグとしてもよい。この場合、パッシブタグであるタグ４０に比べ（図８（ｂ）参照）、電波Ｗｔの送信レベルが高くなり、図８（ａ）に示すように、電波Ｗｔの送信距離を長くすることができる。
【００９８】
このため、タグ２４０を所有する通行人Ｐ４が、図８（ａ）及び図９に示すように、リーダライタ装置３０から遠く離れていても、アンテナ３１は、ＩＤコード「０００００」に関連する情報を含む電波Ｗｔを受信することができ、これによって、電波Ｗｒの送信レベルをより早いタイミングで制御することができる。なお、この場合、上述したようにタグ２４０から送信される電波Ｗｔの送信レベルは高くなるものの、当然のことながら、その送信レベルは、心臓ペースメーカ２５０（図８参照）に影響を及ぼさないと考えられる程度に設定される。
【００９９】
また、本実施形態では、タグ２４０に、図９に示すようにアンテナ２４１、制御部２４２、記憶部２４３が備えられる他、タグ２４０の表面には、図８及び図９に示すように、３つのＬＥＤ２４５〜２４７が設けられており、これらＬＥＤ２４５〜２４７は、電池２４４の電力を利用して点灯するものとされる。そして、これらＬＥＤ２４５〜２４７の点灯制御は、制御部２４２により実行される。
【０１００】
例えば、制御部２４２には、電波Ｗｒをアンテナ２４１が受信した時の受信レベルを算出する受信レベル算出部２４２ａが備えられており、制御部２４２は、この受信レベル算出部２４２ａの算出値に基づいて、ＬＥＤ２４５〜２４７の点灯制御を実行する。
【０１０１】
また、各ＬＥＤ２４５〜２４７は、点灯する際の色がそれぞれ異なっており、電波Ｗｒをアンテナ２４１が受信した時の受信レベルに応じて、各ＬＥＤ２４５〜２４７が順番に点灯するようになっている。
【０１０２】
具体的には、通行人Ｐ４がリーダライタ装置３０から十分遠ざかっており、電波Ｗｒをアンテナ２４１が受信できない場合や、前記受信レベルが低レベルの時には、図１０（ａ）に示すように、一番左側のＬＥＤ２４５が点灯する。そして、前記受信レベルがこのような低レベルの状態から増加すると、図１０（ｂ）に示すように、ＬＥＤ２４５が消灯すると同時に中央のＬＥＤ２４６が点灯し、さらに前記受信がさらに増加すると、図１０（ｃ）に示すように、ＬＥＤ２４６が消灯すると同時に一番右側のＬＥＤ２４７が点灯するようになっている。
【０１０３】
但し、ＬＥＤ２４５〜２４７を点灯させる方式としては、必ずしもこれに限定されるものではなく、例えば、前記受信レベルが増加するにしたがって、点灯するＬＥＤの数が増加するような方式であってもよい。
【０１０４】
このように、本実施形態では、タグ２４０に電池２４４を内蔵したことで、タグ２４０にＬＥＤ２４５〜２４７を設けて、このＬＥＤ２４５〜２４７を点灯させることが可能になっている。そして、自身の周辺の電波Ｗｒのレベルを通行人Ｐ４に対して視覚的に報知することができる。このため、通行人Ｐ４は、自身の周辺での電波Ｗｒのレベルを容易に認識することが可能になり、その結果、通行人Ｐ４は、より強い安心感を得ることができる。
【０１０５】
なお、前記受信レベルを報知する手段としては、複数のＬＥＤ２４５〜２４７により構成することに必ずしも限定されるものではない。例えば、点灯表示位置や、点灯する色、文字等の変化によって受信レベルを報知する点灯表示手段で構成することができ、ＬＥＤ以外にも、有機ＥＬ等の各種発光手段で構成することができる。また、受信レベルを報知する手段は、音量や音質等の変化によって受信レベルを報知するスピーカ装置で構成することができる。
【０１０６】
なお、図８〜図１０において、第１実施形態と同様の構成要素については、同一の番号を付して説明を省略する。
【０１０７】
（第５実施形態）  
また、本発明では、リーダライタ装置３０等が、ＩＤコード「０００００」の読取りに基づき、電波Ｗｒの送信レベルを制御する際、リーダライタ装置３０等の他に電波を送信している機器があった場合には、その機器から送信される電波の送信レベルも併せて制御するようにしてもよい。
【０１０８】
図１１は、本発明の第５実施形態に係る通信システム３０１、及びこれと並存する無線ＬＡＮ通信システムを示す概略図であり、図１２は、図１１に対応するブロック図である。なお、第１実施形態と同様の構成要素については、同一の番号を付して説明を省略する。
【０１０９】
図１１、図１２に示す本実施形態では、リーダライタ装置３３０とタグ３４０との非接触の通信を行う通信システム３０１が構成される一方、携帯電話の無線基地局に相当するアクセスポイント３６０と、利用者（図示せず）が所有する通信端末装置（図示せず）との間を無線接続させる無線ＬＡＮシステムが構成されている。そして、このアクセスポイント３６０は、リーダライタ装置３３０と通信可能に接続されている。
【０１１０】
ここで、アクセスポイント３６０は、図１１に示すように、前記端末装置と非接触で通信するためのアンテナ３６１と、該アンテナ３６１における電波の送受信を制御する制御部３６３を備えた制御装置３６２とから構成されている。
【０１１１】
そして、アクセスポイント３６０の制御装置３６２には、インターフェース３６４が備えられている。制御部３６３は、インターフェース３６４、及びリーダライタ装置３３０の本体３３０ａに備えられたインターフェース３３５を介して、制御部３３３に接続されている。
【０１１２】
さらに、制御部３６３は、インターフェース３６４を介して、インターネット３７０に接続され、これらを介してサーバ装置３８０に接続されている。
【０１１３】
サーバ装置３８０は、前記無線ＬＡＮの利用者の端末装置に対し、インターネット３７０等を介して各種情報を提供するものである。
【０１１４】
ここで、図１１に示すように、タグ３４０を所持した通行人Ｐ５がリーダライタ装置３３０に接近し、アンテナ４１（図１２参照）が送信した電波から、リーダライタ装置３３０がＩＤコード「０００００」を読取ると、制御部３３３は、電波Ｗｒの送信レベルを制御するとともに、インターフェース３３５、３６４を介して、アクセスポイント３６０の制御装置３６２に備えられた制御部３６３に対し、所定の制御信号を送信するようになっている。
【０１１５】
この時、制御部３６３は、制御部３３３からの前記制御信号に基づいて、アンテナ３６１から送信する無線ＬＡＮ通信用の電波ＷＬａｎの送信レベルを制御するようになっている。具体的には、電波ＷＬａｎの送信を停止させるか、または送信レベルを低減させるようになっている。
【０１１６】
このように、本実施形態では、リーダライタ装置３３０が、受信した電波ＷｔからＩＤコード「０００００」を読取った時、電波Ｗｒの送信レベルを制御する他、無線ＬＡＮ通信用の機器（ここではアクセスポイント３６０）から送信される電波ＷＬａｎも併せて制御する。
【０１１７】
この場合、通行人Ｐ５の心臓ペースメーカ３５０（図１１参照）に対して影響を及ぼすことが懸念されているあらゆる機器について、そこから送信される電波Ｗｒ、ＷＬａｎを、通信システム３０１を利用して制御することができる。
【０１１８】
（第６実施形態）  
なお、上述した各実施形態に係る通信システムは、例えば、所定の施設に管理対象物（訪問者や物品等）の出入りを許可／規制するいわゆるセキュリティシステムに適用することができる。具体的には、各訪問者に対し、「０００００」以外（すなわち「００００１」〜「９９９９９」のいずれか）のそれぞれ異なる入出許可ＩＤコードを割り当てたタグを所持させる一方、リーダライタ装置３０等には、上述した入出許可ＩＤコードを全て収録した入室許可ＩＤリストを記憶させる。
【０１１９】
この場合、リーダライタ装置は、上述した入室許可ＩＤコードを読取った時には、ドアを開放制御する等して、訪問者の入室を許可する一方で、ＩＤコードが「０００００」のタグ４０等を所有する通行人Ｐ１等がリーダライタ装置３０等に近づいた時には、電波Ｗｒの送信レベルを停止または低減するように制御すればよい。
【０１２０】
（第７実施形態）  
なお、上述した第６実施形態では、本発明に係る通信システムを、セキュリティシステムに適用した場合について説明したが、本発明は必ずしもこれに限定されるものではない。例えば、図１３に示すように、例えば、管理対象者Ｍ１の居場所を、関係者が把握、管理する居場所管理システムに本発明を適用してもよい。なお、第１実施形態と同様の構成要素については、同一の番号を付して説明を省略する。
【０１２１】
本実施形態に係る居場所管理システムでは、電柱４１０、４１１や交通信号機４１２等、市街地の各公共設備にリーダライタ装置４３０、４３０、…が取付けられるとともに、これらが専用のネットワーク４６０を介してシステム管理サーバ４７０に接続されている。そして、このシステム管理サーバ４７０は、ネットワーク４６０を介して、管理対象者Ｍ１の関係者が所有する通信端末装置４８０（例えば、パーソナルコンピュータや携帯電話端末）に接続されている。
【０１２２】
また、本実施形態では、管理対象者Ｍ１が、リーダライタ装置４３０のアンテナ４３１と非接触で通信可能なタグ４４０′を所持しており、これらリーダライタ装置４３０とタグ４４０とが非接触で通信可能となっている。
【０１２３】
タグ４４０には、その記憶部（ここでは図示略）に、予め割り当てられた対象者識別ＩＤコード（以下、ＩＤコードと略記する。）が記憶されている。このＩＤコードは、管理対象者Ｍ１（タグ４４０′）を識別するためのコードであり、上述した第６実施形態と同様、管理対象者Ｍ１毎に、例えば「０００００」以外の異なる番号が割り当てられている。
【０１２４】
ここで、管理対象者Ｍ１が、図１３に示すように電柱４１０に接近すると、タグ４４０′では、そのアンテナ（ここでは図示せず）がリーダライタ装置４３０のアンテナ４３１から送信された電波Ｗｒを受信することにより、前記ＩＤコードに関連する情報を含む電波Ｗｔをアンテナ４３１に送信する。
【０１２５】
そして、リーダライタ装置４３０は、タグ４４０′より送信された電波Ｗｔから前記ＩＤコードを読取り、該ＩＤコード情報とともに、前記読取りを行ったリーダライタ装置４３０の所在地に関連する位置情報をシステム管理サーバ４７０に送信する。
【０１２６】
システム管理サーバ４７０は、上述した各種情報のうち、前記ＩＤコードと、予め各管理対象者が登録したＩＤとを照合し、居場所を判定した管理対象者Ｍ１を特定する。そして、該管理対象者Ｍ１に対応する関係者の通信端末装置４８０に、前記位置情報に基づき判定した管理対象者Ｍ１の居場所に関連する情報を送信する。
【０１２７】
ところで、図１３では、心臓ペースメーカ４５０の所有者Ｍ２が、交通信号機４１２に取付けられたリーダライタ装置４３０に接近したことにより、通信システム４０１が構成された場合を示している。
【０１２８】
本実施形態では、所有者Ｍ２が、居場所管理システムの管理対象者でないものの、管理対象者Ｍ１と同様、タグ４４０を所持している。
【０１２９】
そして、上述した各実施形態と同様、このタグ４４０の記憶部（ここでは図示せず）には、例えばＩＤコードとして、リーダライタ装置心臓ペースメーカ４５０の所有者に共通のＩＤコード「０００００」が記憶されている。
【０１３０】
ここで、所有者Ｍ２がリーダライタ装置４３０に接近すると、タグ４４０では、上述したＩＤコード「０００００」に関連する情報を含む電波Ｗｔをリーダライタ装置５３０のアンテナ４３１に送信する。
【０１３１】
この時、リーダライタ装置４３０は、電波Ｗｔから前記ＩＤコードを読取ると、上述した各実施形態と同様、電波Ｗｒの送信を停止するか、またはその送信レベルを低減するようになっている。
【０１３２】
このような構成により、上述したような居場所管理システムが構成された市街地であっても、所有者Ｍ２は、通信システム４０１により、リーダライタ装置４３０から送信される電波を気にすることなく安心して行動することができる。
【０１３３】
なお、本実施形態において、上述したように電波Ｗｒの送信レベルが制御された時には、例えば、制御開始時点から所定時間経過後に、前記送信レベルを自動的に制御前のレベルに復帰できるようにすればよい。
【０１３４】
（その他の実施形態）  
なお、上述した各実施形態では、リーダライタ装置３０等から送信される電波Ｗｒを制御すべき対象者として、心臓ペースメーカ５０の所有者（通行人Ｐ１）等を例に挙げて説明したが、本発明は、必ずしもこれに限定されるものではない。例えば、通信システム１等にて送信される電波Ｗｒに対して不安を抱く乳幼児の保護者に配慮して、乳幼児に前記タグを所持させるようにしてもよい。
【０１３５】
また、例えば、工場等で、電波の影響を受けることが好ましくない精密機械等を扱う場合には、該精密機械等が入った箱にタグを取付け、この箱が電波発信源となるリーダライタ装置に接近すると、前記タグとの通信により、リーダライタ装置からの電波の送信を停止させることができるように構成してもよい。
【０１３６】
また、上述した各実施形態では、タグ４０等と通信を行う通信装置として、リーダライタ装置３０等を用いた場合を説明したが、必ずしもこれに限定されることはなく、前記通信装置は、タグ４０の情報の読取りのみを可能とするリーダ装置であってもよい。
【符号の説明】
【０１３７】
１、１０１、２０１、３０１、４０１…非接触ＩＣ媒体通信システム
３０、１３０、３３０、４３０…リーダライタ装置
３２…復帰操作ボタン
３３、１３３、３３３…制御部
３３ａ…受信レベル算出部
４０、１４０、２４０、３４０、４４０…ＲＦＩＤタグ
１３６、１３７、１３８…ＬＥＤ
２４２ａ…受信レベル算出部
２４４…電池
２４５、２４６、２４７…ＬＥＤ
【図１】
2010226604.tif 000003
【図２】
2010226604.tif 000004
【図３】
2010226604.tif 000005
【図４】
2010226604.tif 000006
【図５】
2010226604.tif 000007
【図６】
2010226604.tif 000008
【図７】
2010226604.tif 000009
【図８】
2010226604.tif 000010
【図９】
2010226604.tif 000011
【図１０】
2010226604.tif 000012
【図１１】
2010226604.tif 000013
【図１２】
2010226604.tif 000014
【図１３】
2010226604.tif 000015